(57)【特許請求の範囲】
【請求項１】
弾倉内の次弾の送り出しをキャリヤーラッチと協働して規制し、遊底と一体に進退するアクションスライダーとの係脱により、次弾の送り出しを停止する停止位置と次弾を送り出す送り出し位置との間で揺動する弾止めを備えて成る銃弾装填装置の弾止め装置において、弾止めをアクションスライダーと係脱するカム部と次弾を規制する止め部とに分割し、レシーバー外面に設けたスイッチによりカム部と止め部とを結合分離するように構成し、遊底が後退したときでもカム部と止め部との分離によりカム部と独立して止め部を停止位置に位置させ次弾の送り出しを停止可能であることを特徴とする銃弾装填装置の弾止め装置。
【請求項２】
スイッチはレシーバー外面に設けられたスイッチ操作部分と、そのスイッチ操作部分内にスイッチ操作部分と上下方向に一体でレシーバー内外方向摺動可能に挿入され、ピンが一体に固着された被操作部分とからなり、スイッチ操作部分を上下に操作することによりピンがカム部と止め部とを結合分離するように構成したことを特徴とする請求項１記載の銃弾装填装置の弾止め装置。
【請求項３】
スイッチは、カム部と止め部とを結合する結合位置及び分離する分離位置に、スイッチ操作部分を夫々固定する固定装置を備えており、その固定装置はスイッチ操作部分に向けて付勢される圧接部材と、スイッチ操作部分に形成され、スイッチ操作部分を結合位置にしたとき圧接部材が嵌まり込む第１の切欠きと、スイッチ操作部分を分離位置にしたとき圧接部材が嵌まり込む第２の切欠きとから成ることを特徴とする請求項２記載の銃弾装填装置の弾止め装置。
【発明の詳細な説明】
【０００１】
【産業上の利用分野】
この発明は、薬室内の装弾を異なる銃弾に変更する場合に、弾倉からの次弾の自動送り出しを停止する銃弾装填装置の弾止め装置に関する。
【０００２】
【従来の技術】
従来、射手が薬室内に装填された装弾を手動操作により異なる銃弾に変更する場合がある。この場合、遊底を後退させて薬室内の装弾を排出し変更するが、自動装填機能を有する自動銃では遊底の後退により弾倉内の次弾がキャリヤー上に送り出されるようになっており、手動操作による銃弾の変更の際にも遊底を後退させるためキャリヤー上に次弾が送り出され、キャリヤー上の次弾も排出しなければならず好ましくないので、装弾の変更のときにはこの次弾の送り出しを停止している。例えば▲１▼特公昭５６−５４５５８号公報に開示の技術では、レシーバー内に揺動可能にラッチ板を枢支し、ラッチ板と遊底とを遊底の最大後進ストローク時のみに一時的に係合が解除されるように設け、弾倉からの次弾の送り出しをラッチ板の前端部で規制し、ラッチ板と遊底の係合が解除されると次弾が送り出されるようになっている。また、レシーバーの側面に穿設された貫通孔に第１係合面と第２係合面とを有するロックボタンが嵌合されており、このロックボタンとラッチ板とが係合するようになっている。手動操作により薬室内の装弾のみを異種の銃弾に変更するときには、ロックボタンの第２係合面をレシーバー内壁面に係合してロックボタンをラッチ板先端部に当合してラッチ板の揺動を規制し、次弾の送り出しを停止している。
【０００３】
また、▲２▼実公昭６２−３４１６０号公報に開示の技術では、本体に形成した開口に自身のフック部を弾倉の開口端から離間させた第１の位置と開口端中に突出させ弾倉内の薬莢（次弾）の停止部材として機能させる第２の位置との間で角移動するレバーを枢支し、このレバーにレバーの第１の位置から第２の位置への移動に抵抗するバネと、開口の後方横断面とによりバネの弾性力に抗して第２の位置にレバーを解除可能に保持する凹所とを設けてあり、通常の状況下ではレバーは第１の位置に配置され、また、本体内には、ある発砲と次の発砲との間の次弾の保持を行う停止部材が設けられている。薬室内の薬莢（装弾）を異なった他の薬莢に置き換えるときには、手動によりレバーを第２の位置に移動し、その位置でレバーを保持させて薬莢の底部にフック部を係合して薬莢の送り出しを停止しさせ、ブリーチブロックを引き抜いて薬室内の薬莢を交換する。薬莢交換後に発砲を行うと後方横断面と凹所とによる保持が発砲の衝撃により解除されて、レバーはバネにより自動的に第１の位置に移動し、次弾の送り出しが行われる。
【０００４】
【発明が解決しようとする課題】
上記▲１▼は、遊底の後進により、遊底と弾止めを兼ねるラッチ板との係合が解除されると次弾が送り出されるものであり、遊底の後進により一体に後進するアクションスライダーと弾止めとが係合し次弾の送り出し停止が解除されるものとは構成が異なり、手動操作により装弾を変更する場合にこのロックボタンとラッチ板とが係合する弾止め装置をアクションスライダーと弾止めとが係合し次弾の送り出し停止が解除される自動銃に採用すると遊底の進退に支障を来すため採用することはできない。また、▲２▼では、手動操作による薬室内の装弾の変更のときにレバーを第２の位置に移動して次弾に係合し、次弾の送り出しを停止するが、発砲の衝撃によりレバーと次弾の係合が自動的に解除される構成であるので、装弾変更中に銃に衝撃が加わるとレバーと次弾の係合が解除されて誤動作を起こす問題があった。また、弾倉内の銃弾はそのままで連続して弾倉内の銃弾とは異なる銃弾を発砲したい場合には、再びレバーを第２の位置に移動し、送り出しを停止しなければならなかった。
本願の課題は、遊底と一体に進退するアクションスライダーと弾止めとの係合により次弾の送り出しを規制する弾止め装置において、薬室内の装弾を手動操作により変更する場合に次弾の送り出しを確実に停止し、通常の射撃時には一連の銃弾送り出し動作が行われるようにすることである。
【０００５】
【課題を解決するための手段】
前記課題の解決のため、本願の銃弾装填装置の弾止め装置では、弾倉内の次弾の送り出しをキャリヤーラッチと協働して規制し、遊底と一体に進退するアクションスライダーとの係脱により、次弾の送り出しを停止する停止位置と次弾を送り出す送り出し位置との間で揺動する弾止めを備えて成る銃弾装填装置の弾止め装置において、弾止めをアクションスライダーと係脱するカム部と次弾を規制する止め部とに分割し、レシーバー外面に設けたスイッチによりカム部と止め部とを結合分離するように構成し、遊底が後退したときでもカム部と止め部との分離によりカム部と独立して止め部を停止位置に位置させ次弾の送り出しを停止可能とした。
【０００６】
また、具体的には、前記スイッチはレシーバー外面に設けられたスイッチ操作部分と、そのスイッチ操作部分内にスイッチ操作部分と上下方向に一体でレシーバー内外方向摺動可能に挿入され、ピンが一体に固着された被操作部分とからなり、スイッチ操作部分を上下に操作することによりピンがカム部と止め部とを結合分離するように構成した。
【０００７】
更に具体的には、前記スイッチは、カム部と止め部とを結合する結合位置及び分離する分離位置に、スイッチ操作部分を夫々固定する固定装置を備えており、その固定装置はスイッチ操作部分に向けて付勢される圧接部材と、スイッチ操作部分に形成され、スイッチ操作部分を結合位置にしたとき圧接部材が嵌まり込む第１の切欠きと、スイッチ操作部分を分離位置にしたとき圧接部材が嵌まり込む第２の切欠きとから成る。
【０００８】
【発明の実施の形態】
次に本願の銃弾装填装置の弾止め装置について図１〜図７により説明する。レシーバー１の前部には銃身２が固着され、また、レシーバー１前部には銃身２と並設して弾倉３が連結されている。また、レシーバー１内には銃弾装填装置が設けられており、銃弾装填装置は引き金装置４と遊底５とキャリヤーラッチ装置６と弾止め装置７とから構成されている。引き金装置４は従来と同様に公知のものであり、引き金装置４にはキャリヤー８がピン９により上下に揺動可能に枢着されており、このキャリヤー８は撃発が行われると弾倉３から送り出される次弾１８を所定の位置まで揚弾して薬室１０への装填に備えるものであり、通常の状態では図１に示すように下方位置となっている。
【０００９】
また、遊底５はレシーバー１内に銃身２方向に前後進可能に設けられており、遊底５には後方に延びるリンク１１が設けられ、通常は銃身２後端の薬室１０を閉鎖し、発砲時には図示を省略した公知のガス圧作動機構により複座バネ１２を圧しながら後退（後座）を行い、複座バネ１２のバネ力により前進（複座）し薬室１０を閉鎖する初期位置に復帰する。この遊底５には左右のレシーバー内壁１３に対向して設けられた弾止め装置７とキャリヤーラッチ装置６とを夫々作動するアクションスライダー１４，１４Ａが左右に連結されている。
【００１０】
キャリヤーラッチ装置６は実開平２−１２２９９２号公報等で公知のものであり、図２に示すようにレシーバー１内壁１３の一方に設けられている。キャリヤーラッチ装置６は、レシーバー内外方向に揺動可能にラッチ止めピン１５により枢支されたキャリヤーラッチ１６がレシーバー内壁１３との間に圧装したラッチバネ１７によりその後端部１６ｂ側がレシーバー１内側方向に向けて付勢され、通常時にはその係合片１６ｃと、対応するアクションスライダー１４Ａの係止突片１４ａとの係合により揺動が規制されてキャリヤーラッチ１６の先端部１６ａが弾倉３内の次弾１８の莢底を係止し、次弾１８のキャリヤー８上への送り出しを規制している。また、遊底５後退時には係止突片１４ａと係合片１６ｃとの係合が解除され、ラッチバネ１７により後端部１６ｂがレシーバー１内側方向に揺動して次弾１８がキャリヤー８上に送り出されるまでキャリヤー８の上方揺動を規制し、次弾１８が送り出されると直ちにその次の次弾１８の送り出しを規制すると共にキャリヤー８の揺動規制を解除する。尚、１６ｄはキャリヤーラッチ１６に一体に設けられたラッチボタンであり、キャリヤー８上に弾倉３から次弾が送り出されず遊底５が略最大後進ストローク位置で停止すると共に後端部１６ｂがレシーバー１内側方向に付勢された状態を、このラッチボタン１６ｄを操作（押す）ことにより解除して遊底５を前進閉鎖するものである。
【００１１】
次に弾止め装置７について説明する。弾止め装置７は他方のレシーバー内壁１３に設けられ、通常の射撃時には前記キャリヤーラッチ装置６とにより次弾１８の弾倉３からの送り込みを規制する。弾止め装置７は、レシーバー内壁１３に揺動可能に弾止め用ピン１９により枢支された弾止め２０と、弾止め２０とレシーバー内壁１３との間に圧装した弾止めバネ２１と、スイッチ２２から構成されている。弾止めバネ２１の一端側は弾止め用ピン１９に嵌入されており、他端側は弾止め２０先端をレシーバー１内方へ付勢している。弾止め２０は図４に示すようにアクションスライダー１４と対向する上部のカム部２３と次弾１８を規制する下部の止め部２４とに上下２体に分割されており、スイッチ２２により結合分離可能であり、通常状態ではカム部２３と止め部２４とは一体に結合されてアクションスライダー１４の進退により図２と図３の実線で示す次弾１８の送り出しを停止する停止位置Ａと図３の２点鎖線で示す次弾１８を送り出す送り出し位置Ｂとの間で揺動する。
【００１２】
カム部２３の上面先端側には図４に示すようにカム片２５が設けられ、このカム片２５はアクションスライダー１４の斜面２６に押圧されるカム面２７が設けられている。カム部２３の後端部にはスイッチ２２の結合分離ピン２８の上端部が挿脱する挿脱孔２９が穿設されている。また、カム部２３のレシーバー内壁１３側の側面は段部３０が形成されている。止め部２４は先端に弾倉３内の次弾１８の莢底を係止する爪部３１が設けられ、後端部にスイッチ２２の被操作部３２の結合分離部５０を収容する収容空間３３が形成されると共にスイッチ２２の結合分離ピン２８の下端部が挿入されている挿入孔３４が穿設されている。また、止め部２４のレシーバー内壁１３側の側面には段部３５が形成され、カム部２３の段部３０と共に弾止めバネ２１の他方側を収容する凹部３６を形成している。
【００１３】
スイッチ２２は、スイッチ操作部分３７と被操作部分３２と固定装置３８とから構成されている。スイッチ操作部分３７はレシーバー外面３９に設けたハウジング４０とレシーバー外面３９との間に上下動可能に介装されると共にハウジング４０の開口４１から外側に突出している。スイッチ操作部分３７には被操作部分３２が挿入される挿入孔４２が設けられ、この挿入孔４２と直交する嵌合孔４３が穿設されて回り止めピン４４が嵌合されている。また、スイッチ操作部分３７の側面には図５の実線で示すスイッチ２２をカム部２５と止め部２４とを結合する結合位置Ｃにしたとき固定装置３８の押圧部材４５が嵌まり込む第１の切欠き４６と、図５の２点鎖線で示すカム部２３と止め部２４とを分離する分離位置Ｄにしたとき押圧部材４５が嵌まり込む第２の切欠き４７とが設けられている。また、開口４１から突出した外面には多数の浅い溝が設けられ、滑り止め面３７ａと成っている。
【００１４】
被操作部分３２は、一方側の二叉部４８がレシーバー１内外方向に摺動可能に前記スイッチ操作部分３７の挿入孔４２に挿入され、二叉部４８の溝４９に回り止めピン４４が貫通してスイッチ操作部分３７と上下方向に一体と成っており、他方側の結合分離部５０は収容空間３３に収容され、結合分離部５０にカム部２３と止め部２４とを結合分離する結合分離ピン２８が一体に固着されている。固定装置３８は、ハウジング４０にバネ支持ピン５１が嵌装され、ハウジング４０とレシーバー外面３９間の空間５２内に、押圧部材（鋼球）４５と、バネ支持ピン５１と押圧部材４５間に介装されて押圧部材４５をスイッチ操作部分３７に向けて押圧するバネ５３とが収容され、押圧部材４５が前記第１の切欠き４６及び第２の切欠き４７に圧接するようになっている。
【００１５】
次に作用について説明する。通常の射撃時にはスイッチ２２を結合位置Ｃに固定し、カム部２３と止め部２４とを結合した状態であり、発砲が行われると、従来周知の通常の次弾の自動装填が、前記銃弾装填装置により行われ、図２に示すようにその次の次弾１８にキャリヤーラッチ先端１６ａが係止して送り出しを規制する。このとき、弾止め２０のレシーバー１内外方向への揺動により結合分離部５０も一体にレシーバー１内外方向に移動し、二叉部４８が回り止めピン４４外周面と挿入孔４２内を摺動する。手動操作により薬室１０内の装弾のみを他の異なる銃弾に変更する場合には、結合位置Ｃにあるスイッチ２２を分離位置Ｄに切り換え、結合分離ピン２８によるカム部２３と止め部２４との結合を分離する。その状態で遊底５を手動により後退させていくと、キャリヤーラッチ１６とこれに対応するアクションスライダー１４Ａとの係合が解除されてラッチバネ１７でキャリヤーラッチ１６の後端部１６ｂがレシーバー１内側方向に揺動してキャリヤー８の上方揺動を規制すると共にキャリヤーラッチ先端部１６ａの次弾１８の係止が解除され、次弾１８は弾止め２０の爪部３１に係止される（図３の実線位置）。
【００１６】
更に遊底５を後退させていくとアクションスライダー１４の斜面２６がカム部２３のカム面２７を押圧し、カム部２３が独立して弾止めバネ２１のバネ力に抗してレシーバー内壁１３側へ揺動し、図３の２点鎖線で示す送り出し位置Ｂになる。止め部２４はカム部２３と分離しているので独立して図２、図３に示す停止位置Ａに位置して次弾１８の送り出しを停止している。このとき弾止めバネ２１のバネ力は止め部２４に作用しないが、マガジンスプリング５４の銃身２方向のバネ力が次弾１８を介して爪部３１に作用するので止め部２４はその位置に保持されて揺動することはない。この状態で薬室１０内の装弾を排出し、薬室１０内に変更したい銃弾を装填する。銃弾交換後、スイッチ２２を結合位置Ｃにするとカム部２３と止め部２４が結合し、再び射撃時に一連の自動装填が行われる。また、スイッチ２２を分離位置Ｄに保持した状態で射撃を行えば、発砲後に次弾１８が装填されず、続けて次弾１８と異なる銃弾を手動装填して射撃を行える。
【００１７】
【発明の効果】
以上のように本発明によれば、弾止めをスイッチによってアクションスライダーと係脱するカム部と次弾を規制する止め部とに結合分離するように構成し、カム部と独立して止め部を停止位置に位置させて次弾の送り出しを規制できるようにしたので、手動操作により装弾を変更する場合にカム部と止め部とを分離すれば、次弾の送り出しが停止され、装弾の変更が容易となる。また、カム部と止め部の結合分離を操作するスイッチを係合位置と分離位置に固定する固定装置により、分離位置に固定することで、装弾変更時に銃に衝撃が加わっても次弾の送り出し停止が解除されず、誤動作を起こすことがない。また、装弾変更後、スイッチを分離位置に保持したまま射撃を行えば、止め部は停止位置に保持された状態であり次弾の送り出しが行われず、続けて異なる銃弾を装填でき、続けて異種の銃弾を使用したい場合に、従来のように装弾を変更するために射撃ごとにレバーを操作する必要がなく、銃弾の変更が容易となる。
【図面の簡単な説明】
【図１】自動銃の断面図である。
【図２】弾止め装置とキャリヤーラッチ装置を示す説明図である。
【図３】弾止め装置の要部拡大図である。
【図４】図３のIV視図である。
【図５】図３のV−V線断面図である。
【図６】図３のVI視図である。
【図７】図４のVII−VII線断面図である。
【符号の説明】
３  弾倉
５  遊底
７  弾止め装置
１４  アクションスライダー
１６  キャリヤーラッチ
１８  次弾
２０  弾止め
２２  スイッチ
２３  カム部
２４  止め部
２８  結合分離ピン
３２  被操作部
３７  スイッチ操作部分
３８  固定装置
３９  レシーバー外面
４５  圧接部材
４６  第１の切欠き
４７  第２の切欠き
Ａ  停止位置
Ｂ  送り出し位置
Ｃ  結合位置
Ｄ  分離位置
【図１】
0003783891.tif 000002
【図２】
0003783891.tif 000003
【図３】
0003783891.tif 000004
【図４】
0003783891.tif 000005
【図５】
0003783891.tif 000006
【図６】
0003783891.tif 000007
【図７】
0003783891.tif 000008